(57)【特許請求の範囲】
【請求項１】
回転体の上端に把持体を回転自在に連係し、
該把持体内にて回転体から、内側に中皿用ラセン溝（９３）と外側に前記中皿用ラセン溝の逆向きの蓋用ラセン溝（９１）を有し前記把持体よりやや短い逆ラセン筒を嵌合起立させ、
該逆ラセン筒（９）内に長手方向にガイド孔（１２ａ）を有するガイド筒（１２）を回転自在に内装すると共に、前記把持体内上部の突起（２３）と前記ガイド筒上端の前記ガイド孔（１２ａ）の末端に設けられた嵌合隙間部（１２ｃ）及び嵌合凹部（１２ｄ）とが嵌合固定し、
該ガイド筒（１２）内に被繰出物を起立させた中皿を昇降自在に内装し、
該中皿（１９）の外周に中皿突起（１９ａ）を突設して、
該中皿突起（１９ａ）をガイド筒のガイド孔（１２ａ）を貫通して逆ラセン筒（９）内の中皿用ラセン溝（９３）へ摺動自在に係合させ、
把持体の頂壁に開口した開口部（２１）を開閉する板状の舌部と蓋台座を有する蓋を上下可動に設け、
該蓋には前記蓋台座の内面に蓋突起（８５）を設けて、該蓋突起（８５）を逆ラセン筒（９）外周の蓋用ラセン溝（９１）へ摺動自在に係合させ、
前記把持体の周壁内面に蓋台座摺動溝（２４）を形成したことを特徴とする繰出容器。
【請求項２】
前記蓋は、
可撓性の板状の舌部を有し
前記把持体は、
前記把持体の頂壁内面部に、前記可撓性の舌部の外周（８２a）の少なくとも一部が摺動可能に挿入され、前記蓋台座摺動溝（２４）に続く蓋案内溝（２２）を有する、ことを特徴とする請求項１に記載の繰出容器。
【請求項３】
前記蓋は、
剛性の板状の舌部と、前記剛性の板状の舌部の側面に突起部（８２ｂ）を有し、
前記把持体は、
前記把持体の頂壁内面部に、前記突起部（８２ｂ）が摺動可能に挿入される蓋案内溝（２８）を有する、ことを特徴とする請求項１に記載の繰出容器。
【請求項４】
前記被繰出物は、上部ラセンタイプ繰出容器、下部ラセンタイプ繰出容器、ねじ棒タイプ繰出容器、または、繰出式ペンシル容器であることを特徴とする請求項１から３のいずれかに記載の繰出容器。
【請求項５】
前記被繰出物は、棒状化粧料、化粧用具、筆記用具、または、印鑑であることを特徴とする請求項１から３のいずれかに記載の繰出容器。
【発明の詳細な説明】
【技術分野】
【０００１】
本願発明は、繰出容器開閉装置に関するものであり、さらに詳しくは、口紅、リップクリーム、アイシャドウ等の棒状化粧料及びフエイスブラシ等の化粧用具の繰出容器、文房具や筆記用具、印鑑などに適用され、使用時に蓋の取り外しを必要としない簡便性と携帯性に優れた上部ラセンタイプ繰出容器応用した繰出容器に関する。
【背景技術】
【０００２】
繰出容器は、口紅容器やアイシャドウ容器に代表されるような手を汚さずに被繰出物（口紅など棒状化粧料、スティック糊等）を繰り出したり、繰り戻したりする機能を有する容器である。
繰出容器は、基本的には、（１）上部ラセンタイプ、（２）下部ラセンタイプ、（３）ねじ棒タイプ（流し込みタイプ）の３タイプに分類される。
これら３タイプの繰出容器の基本構造については、図１に図解した。
この他,繰り出し式ペンシル容器がある。繰り出し式ペンシル容器は、ラセン機構を内蔵し、しん（芯）状化粧料を繰出すことができる細身容器をいう。このタイプには化粧料収納部を取り替えられるカートリッジ式もある。このタイプの繰出容器は、図２に図解した。
これら３タイプの繰出容器及び繰り出し式ペンシル容器については、後述する非特許文献１（包装の辞典（編集：日本包装学会、発行：朝倉書店、発行日：２００１年６月２０日、３６８〜３７０頁、ＩＳＢＮコード  4-254-20106-0 C 3550））、及び、非特許文献２（第４１回全日本包装技術研究会〜研究事例発表資料（（社）日本包装技術協会、発行日：２００３年１１月２０日、２１７頁））において詳細に解説されている。
なお、非特許文献１において記載されている『ねじ棒タイプ』の技術的な概念は、非特許文献２において記載されている『流し込みタイプ』と等価である。
本願発明の技術的理解を支援すべく、段落番号０００３において、非特許文献１（包装の事典、３６８〜３７０頁）における技術解説に関する記載を引用する。
【０００３】
『viii)  繰り出し式容器
容器の一部を回転させることにより、化粧料を繰り出したり繰り戻したりすることができる容器を、繰り出し式容器といい、直接肌などに化粧料を塗布できる簡便性と携帯性を有する。
容器形態は大きく３タイプに分けられる。
1)  上部らせんタイプ：このタイプは砲弾形状の口紅などの化粧料を収納した中皿を、外側に配置したらせん状の溝が設けてある部品に沿って回転により繰り出していく方式である。
主に使用される材質としてはアルミニウム、真鍮などの金属やアクリロニトリル・スチレン樹脂（ＡＳ）、ポリスチレン（ＰＳ）などのプラスチックである。
中皿は化粧料の抜けや折れ、耐内容物性などを考慮して選定され、材質はＡＳやポリプチレンテレフタレート（ＰＢＴ）などが多く使用されている。
化粧料の充填方式としては、あらかじめ口紅形状の金属製の金型に充填し形成したものを底付き中皿に挿入する場合と、口紅形状をした中空の樹脂部品を底に穴を設けた中皿の口元に嵌合させ、容器底穴より溶融した化粧料を直接流し込み、冷却してから樹脂部品を取り外して口紅形状を形成する場合がある。
2)  下部らせんタイプ：中皿の下部にねじやらせん部品を配置した繰り出し方式である。
この方式は細身口紅やスティックファンデェイション、ヘアスティック、デオドラントスティックなどに使用される。
特徴としてはらせんを中皿の下に配置しているので、より容器を細くすることができたり、化粧料形状を丸以外、例えば楕円などにできる点である。
使用される材質は上部らせんタイプと同様である。
化粧料の充填は容器口元か容器底部から溶融した化粧料を直接充填し、冷却固化する方法で行われる。
このタイプの容器には、キャップ内部に気密パッキンなどを設け、揮発性のある化粧料を収納できるものもある。
3)  ねじ棒タイプ：化粧料の中心にねじ棒があるタイプである。
この方式は容器口元から直接化粧料を充填固化させ、中心のねじ棒を回転することで固化した化粧料が繰り出されるものである。
構造が非常に簡単で低コストであることから、リップクリームなどに使用される。
容器材質としてはポリプロピレン（ＰＰ）が主に使用される。
ix）繰り出し式ペンシル容器
ラセン機構を内蔵し、しん（芯）状化粧料を繰り出すことができる細身の容器をいう。このタイプには化粧料収納部を取り替えられるカートリッジ式もある。（図５．１０．１０）
使用される化粧料は主にアイライナー、アイブロー、リップペンシルなどで、２〜４ｍｍφのしん径が多く、楕円のものもある。しんは樹脂や金属製の、パイプ状または３〜４本の爪状の部品（しんチャック）に固定される。容器後部の繰り出し機構を使い、芯を繰り出して使用する。
カートリッジ式の場合は、しん（芯）収納部分（カートリッジ）のみを後部の繰り出し機構部（ホルダー）から取り外すことができるようになっている。また、容器本体後部にチップやブラシなどの用具（アプリケーター）を取り付けたものもある。
使用される材質は樹脂ではアクリロニトリル・スチレン樹脂（ＡＳ）やアクリロニトリル・ブタジエン・スチレン樹脂（ＡＢS）、金属ではアルミニウム、真鍮などがあり、内部には金属スプリングやプラスチックなどの精密な小型部品が多く、エンジニアリングプラスチックであるポリオキシメチレン（ＰＯＭ）なども使用される。』
【０００４】
本出願の特許請求の範囲、明細書、及び、図面において使用する『繰出容器』、『繰り出す』、『繰り戻す』、『上部ラセンタイプ（上部らせんタイプ）』、『下部ラセンタイプ（下部らせんタイプ）』、『ねじ棒タイプ』、『流し込みタイプ』、『繰り出し式ペンシル容器』なる技術用語は、非特許文献１、及び、非特許文献２において記載されている解説、定義、例示から、直接的かつ一義的に導き出すことができる事項とする。
【０００５】
上記の如くこれらの繰出容器は、口紅、ファウンデーション、しん（芯）状化粧料などの化粧品、ステェックタイプ糊などの事務用品に既に汎用されている。
従来の技術における一般的な繰出容器（以下、本願の明細書において「従来技術における一般的な繰出容器」又は、「従来技術」という。）の利点及び問題点は、下記の通りである。
【０００６】
〔従来技術における一般的な繰出容器の利点〕
１）回転して繰出す・繰戻す繰出容器は、現在も消費者に支持により圧倒的に広く使用されており、消費者は繰出容器を長年使い慣れている。
２）現在も広く使われている結果、繰出容器の部品の金型、繰出容器の組立などの生産設備があり、必要により直ぐに対応できる生産体制が整っている。
３）口紅などの棒状化粧料の成形設備が揃っており、必要により直ぐに対応できる生産体制が整っている。
４）長年使用されてきた結果、繰出容器は品質が安定しており、機構に関するトラブルがない。
【０００７】
〔従来技術における一般的な繰出容器の問題点〕
１）繰出容器の使用時には、蓋の脱着という煩雑な作業を伴うことである。
２）使用時に外した蓋を紛失してしまうことがある。
３）蓋脱着時に、実質的に商品価値を有する高価な内容物（口紅、化粧料、糊等）を
蓋のエッジで傷を付けたり、欠損させてしまうことがある。
という問題点があった
【０００８】
上記した従来技術における一般的な繰出容器の利点を生かし、問題点１）〜３）において列挙した問題点を解消すべく、当業者らは、繰出容器の蓋を自動的に開閉する技術を開発してきた。
このような代表的な具体例として、特許文献１に示した「繰出容器開閉装置」を挙げることができる。
【０００９】
〔特許５２１１２８６号（特許文献１）〕
特許第５２１１２８６号「繰出容器開閉装置」（特許文献１）に係る発明（以下、本願の明細書において「直近先行技術」に係る繰出容器開閉装置」又は「先願」という。）は、先行技術に係る繰出容器開閉装置の解決すべき課題、耐衝撃性の向上、蓋の開閉時の安定、多様な形状・デザインに対応出来る成形しやすく、組み立てやすい繰出容器などを解決した繰出容器開閉装置を開発したものである。
解決手段として、外筒及び内筒から構成された把持体と、回転体と一体に回転する環状はすば歯車又は、逆ラセン筒などを含んで構成される繰出容器開閉装置で、把持体を把持し、回転体を順回転方向に回転した時に、蓋が開放されつつ被繰出物が繰り出され、逆回転により被繰出物が繰戻され、同時に蓋が開閉する繰出容器開閉装置で、多様な形状・デザインに対応できる、耐衝撃性が向上し、蓋の開閉時の移動が安定したなどの特徴を有する繰出容器開閉装置が開示されている。
【００１０】
これらの従来技術、先行技術、直近先行技術に係る繰出容器開閉装置の利点を活かした繰出容器開閉装置を実現してきた。
【先行技術文献】
【特許文献】
【００１１】
【特許文献１】特許第５２１１２８６号
【非特許文献】
【００１２】
【非特許文献１】包装の辞典（編集：日本包装学会、発行：朝倉書店、発行日：２００１年６月２０日）  ３６８〜３７０頁
【非特許文献２】第４１回全日本包装技術研究会−研究事例発表資料−（発行：（社）日本包装技術協会、発行日：２００３年１１月２０日）  ２１７頁
【発明の概要】
【発明が解決しようとする課題】
【００１３】
本願発明が解決しようとする課題は、従来技術における一般的な繰出容器の利点及び直近先行技術に係る繰出容器開閉装置の利点を活かしつつ、直近先行技術に係る繰出容器開閉装置における問題点を解決することである。
本願発明に係る使用時に蓋の取り外しを必要としない簡便性と携帯性に優れた上部ラセンタイプ繰出容器を応用した繰出容器が、解決しようとする課題を以下に列挙する。
【００１４】
本願発明の課題は、
１、繰出容器の部品の単純化や部品数の削減などによる製品組み立て工程数の減少・単純化・簡略化・などによる生産性・品質向上・コスト低減を実現した繰出容器を提供する。
２、被繰出物が一定の方向に繰出・繰戻すことが出来る繰出容器を提供する。
３、口紅など棒状化粧料の中味の硬度が低く柔らかい、中味の直径が細く折れやすい製品などに制約されることがない、使い易い繰出容器を提供する。
【００１５】
本願発明は、従来から使われている繰出容器、直近先行技術に係る繰出容器開閉装置の利点を生かしつつ、製品化する過程で見出した解決すべき課題を改善した繰出容器を実現することを目的とするものである。        
【課題を解決するための手段】
【００１６】
本願に係る発明は、「特許請求の範囲」に記載した「請求項１」乃至「請求項５」に記載した事項により特定される。
【００１７】
本発明に係る繰出容器は、
（１）回転体の上端に把持体を回転自在に連係し、
該把持体内にて回転体から、内側に中皿用ラセン溝９３と外側に前記中皿用ラセン溝９３の逆向きの蓋用ラセン溝９１を有し前記把持体よりやや短い逆ラセン筒を嵌合起立させ、
該逆ラセン筒内に長手方向にガイド孔１２ａを有するガイド筒を回転自在に内装すると共に、
前記把持体内上部の突起２３と前記ガイド筒上端の前記ガイド孔１２ａの末端に設けられた、嵌合隙間部１２ｃ及び嵌合凹部１２ｄとが嵌合固定し、
該ガイド筒内に被繰出物を起立させた中皿を昇降自在に内装し、
該中皿の外周に中皿突起１９ａを突設して、
該中皿突起１９ａをガイド筒のガイド孔１２ａを貫通して逆ラセン筒内の中皿用ラセン溝９３へ摺動自在に係合させ、
把持体の頂壁に開口した開口部２１を開閉する板状の舌部と蓋台座を有する蓋８を上下可動に設け、
該蓋８には前記蓋台座の内面に蓋突起８５を設けて、該蓋突起８５を逆ラセン筒外周の蓋用ラセン溝９１へ摺動自在に係合させ、
前記把持体の周壁内面に蓋台座摺動溝２４を形成したことを特徴とする繰出容器。
【００１８】
本発明に係る繰出容器は、
（２）前記蓋8は、
可撓性の板状の舌部を有し
前記把持体は、
前記把持体の頂壁内面部に、前記可撓性の舌部の外周の少なくとも一部が摺動自在に挿入され、前記蓋台座摺動溝２４に続く蓋案内溝２２を有する、ことを特徴とする請求項１に記載の繰出容器。
【００１９】
本発明に係る繰出容器は、
（３）前記蓋８は、
剛性の板状の舌部と、前記剛性の板状の舌部の側面に突起部８２ｂを有し、
前記把持体は、
前記把持体の頂壁内面部に、前記突起部８２ｂが摺動自在に挿入される蓋案内溝
２８を有する、ことを特徴とする請求項１に記載の繰出容器。
【００２０】
本発明に係る繰出容器は、
（４）前記被繰出物は、
上部ラセンタイプ繰出容器、下部ラセンタイプ繰出容器、ねじ棒タイプ繰出容器、または、繰出式ペンシル容器であることを特徴とする請求項１から３のいずれかに記載の繰出容器。  
【００２１】
本発明に係る繰出容器は、
（５）  前記被繰出物は、
化粧用具、筆記用具、文房具、または、印鑑であることを特徴とする請求項１から３のいずれかに記載の繰出容器。
である。
【発明の効果】
【００２２】
本願発明によれば、上部ラセンタイプ繰出容器を基本機構とし、中味の口紅などの棒状化粧料、化粧用具などを繰出・繰戻これまでと同じ操作により蓋が自動開閉する繰出容器を作ることが出来る。
この結果、従来容器の利点を活かし、加えて、本願発明の効果により、多くの利便性のなどある繰出容器ができる。
本発明による効果を以下に列挙する。
【００２３】
〔本願発明による効果〕
本願発明の第１の効果は、「繰出容器の部品の単純化や減少、これに伴う工程の単純化・減少などによる生産性、品質向上、コスト低減」などの効果を実現できたことである。
本願発明の第２の効果は、「被繰出物を一定方向に繰出す・繰戻すことが出来る」という繰出容器を実現できたことである。
本願発明の第３の効果は、「棒状化粧料など被繰出物の硬度が低く柔らかい、又は、直径が細く折れやすいなどにより、制約されることがない、使い易い」繰出容器を実現できたことである。
本願発明の第４の効果は、構造の単純化による品質や生産性の向上、化粧品容器らしい繰出容器ができるという効果を実現したことである。
このため本願発明の繰出容器は、棒状化粧料、化粧用具はもちろん、各種の繰出容器の併用、筆記用具、印鑑などへの広い用途が実現した。  
【００２４】
本願発明の繰出容器により、使用毎に蓋を脱着する必要が無く、安全で、使い易い、生産しやすいなどを実現した。
〔本願発明の繰出容器の主な特徴〕
１）部品構造の単純化、組立工程の簡略化、部品削減の効果により生産性・品質が向上した。組立工程など生産工程の簡略化、金型・部品などの削減によるコスト削減が可能になった。
２）被繰出物を回転することなく一定の方向に繰出すことが出来る。
このため、設計作業が効率化した。
開閉時の複雑な動きをする蓋と中味など被繰出物の間の距離設計が容易になった。
一定の方向に繰出すことが好ましい化粧品・繰出容器・化粧用具や筆記用具、印鑑、
事務用などへの応用が可能になった。
３）本願発明の繰出容器と従来容器の併用により、用途が広くなった。
先願では、被繰出物の口紅など硬度が低く柔らかい、又は、直径が細く折れやすい製品などに応用が制約されるものがあった。
このような場合、本願発明の繰出容器と従来の繰出容器を併用することによって、制約されることなく、必要により従来の繰出容器も応用できる。
４）利便性：
棒状化粧料の特徴に合わせて使い分けていた用途毎に繰出容器を、本願発明の繰出容器の中皿に嵌合して用いることが出来る。このため、本願発明の繰出容器との各種の繰出容器を併用することにより「使用する毎に蓋の脱着が不用」「使用時の防蓋紛失効果がある」「蓋脱着時に製品を傷つけない」などの特徴を生かして用いることが出来る。
５）ユニバーサルデザイン
長年、使い慣れた従来の上部ラセンタイプ繰出容器が基本構造で、使用時に違和感が無く、使いやすい、使い方の説明が必要ない。
使用時に蓋を外す必要が無いため幼児の誤飲を防止できるなど、安全対策になる。
６）省資源への配慮
本願発明の繰出容器の中皿に嵌合して、繰返し使用できる詰替容器が出来る。  
などの特徴がある。
【図面の簡単な説明】
【００２５】
＜＜＜本願発明に応用する従来容器の説明図＞＞＞
【図１】繰出容器の基本構造（従来容器）
【図２】繰出容器の基本構造（従来容器）＜＜＜本願発明の繰出容器の説明図（可撓性の板状の舌部蓋の応用）＞＞＞
【図３】本願発明の繰出容器の基本構造       （可撓性の板状の舌部蓋の応用（その１））
【図４】本願発明の繰出容器の各部品の動きを示す説明図        （可撓性の板状の舌部蓋の応用（その２））
【図５】本願発明の繰出容器の把持体Ｈの構成を示す断面図（図４のハ−ハ線とニ−ニ線の断面図）（可撓性の板状の舌部蓋の応用（その３））
【図６】本願発明の繰出容器の回転体への組立部品の符号（斜視図及び断面図）                （可撓性の板状の舌部蓋の応用（その４））
【図７】本願発明の繰出容器の把持体への組立部品の符号      （斜視図及び断面図）              （可撓性の板状の舌部蓋の応用（その５））
【図８】本願発明の繰出容器の把持体と回転体の回転可能嵌合を示す断面図        （可撓性の板状の舌部蓋の応用（その６））
【図９】本願発明の繰出容器の把持体Hと回転体Rを示す斜視図        （可撓性の板状の舌部蓋の応用（その７））
【図１０】本願発明の繰出容器の組立工程１；回転体への各部品の組立（斜視図）          （可撓性の板状の舌部の応用（その８））
【図１１】本願発明の繰出容器の組立工程２；把持体への各部品の組立        （断面図及び斜視図）          （可撓性の板状の舌部蓋の応用（その９））
【図１２】本願発明の繰出容器の組立工程３；組立工程１と組立工程２の組立体の組立（斜視図）        （可撓性の板状の舌部蓋の応用（その１０））＜＜＜本願発明の繰出容器の説明図  （剛性の板状の蓋の応用）＞＞＞
【図１３】繰出容器の基本構造（本願発明）  （剛性の板状の舌部蓋の応用（その１））
【図１４】本願発明の繰出容器の各部品の動きを示す説明図（剛性の板状の舌部蓋の応用（その２））
【図１５】本願発明の繰出容器の把持体Ｈの構成を示す断面図、図１４のホーホ線とヘーヘ線の断面図  （剛性の板状の舌部蓋の応用（その３））
【図１６】本願発明の繰出容器の組立工程４；把持体への部品組立と各部品の符号（斜視図及び断面図）                 （剛性の板状の舌部蓋の応用（その４））
【図１７】本願発明の繰出容器の組立工程５;組立工程１と組立工程４の組立      （斜視図）                     （剛性の板状の舌部蓋の応用（その５））＜＜＜本願発明の繰出容器と下部ラセンタイプ繰出容器の併用（可撓性の板状の舌部蓋の応用例）＞＞＞
【図１８】本願発明の繰出容器と下部ラセンタイプ繰出容器の併用（その１）          各部品の動きを示す説明図         （可撓性の板状の舌部蓋の応用例）
【図１９】本願発明の繰出容器と下部ラセンタイプ繰出容器の併用（その２）          把持体Ｈの構成を示す断面図（可撓性の板状の舌部蓋の応用例）
【図２０】本願発明の繰出容器と下部ラセンタイプ繰出容器の併用（その３）          各部品の符号（斜視図,断面図及び上面図）
【図２１】本願発明の繰出容器と下部ラセンタイプ繰出容器の併用（その４）          組立工程６；回転体への各部品の組立（斜視図）
【図２２】本願発明の繰出容器と下部ラセンタイプ繰出容器の併用（その５）          組立工程７；組立工程２及び組立工程６の組立体の組立(斜視図）＜＜＜先願（特許第５２１１２８６号）と本願の比較対照の説明図＞＞＞
【図２３】先願（特許第５２１１２８６号）と本願の比較対照（その１）          把持体と回転体へ組立部品低減
【図２４】先願（特許第５２１１２８６号）と本願の比較対照（その２）          回転体の回転角度と砲弾型口紅側面形状の変化の差異の説明図
【発明を実施するための形態】
【００２６】
本願発明に係る従来容器の図を図１〜２、最良の形態を図３〜２２及び先願（特許第５２１１２８６号）と本願の比較対照の説明図を図２３〜２４に示した。
【００２７】
〔図１：繰出容器の基本構造（繰出容器）〕  
図１は、本願発明に用いる繰出容器の基本構造(従来容器)を示す図である。
図１の（１）の上部ラセンタイプ繰出容器は、砲弾形状の口紅などの化粧料を収納した中皿を、中皿の外側に配置したラセン溝に沿って袴筒の回転により繰出し、又は、繰戻すタイプである。
図１の(２）の下部ラセンタイプ繰出容器は、中皿の下部にねじやラセン部品を配置したタイプである。      
図１の(３）のねじ棒タイプ繰出容器は、中皿の中心にねじ棒があるタイプである。
【００２８】
〔図２；繰出容器の基本構造（従来容器）〕
図２は、「繰り出し式ペンシル容器」である。
図２のカートリッジタイプの「繰り出し式ペンシル容器」（以下、繰出式ペンシル容器と記す）は、ラセン機構を内蔵し、しん（芯）状化粧料を繰出し、又は、繰戻すことができる細身の繰出容器である。
図２に示す如く、しん（芯）収納部分（カートリッジ）を繰出機構部（ホルダー）から取り外すことができるものもある。使用時には他の繰出容器と同様にカートリッジ（中筒）を把持し、ホルダー（回転部）を回転して、しん（芯）状化粧料を繰出す、または、繰戻すことができる。
【００２９】
通常、繰出容器は、口紅、ステックファンデイションなどの棒状化粧料、しん（芯）状化粧料の繰出容器、事務用品のステックタイプ糊容器などに使用される。
繰出容器の中皿に化粧用具を装着して使用されることあるが、上部ラセンタイプ繰出容器は、馬毛など毛状のものを用いた化粧用具には使用が適さないため実用例は少ない。
下部ラセンタイプ繰出容器はフエイスブラシなど化粧用具にも応用されている。
ねじ棒タイプ繰出容器は、図１に示す如く、容器の中皿の中心に回転棒があるため、化粧用具には使用されている例はあまりない。
【００３０】
〔図３；本願発明の繰出容器の基本構造  （可撓性の板状の舌部蓋の応用（その１）〕
図３は、本願発明の繰出容器の可撓性板状の舌部蓋の応用の基本構造で、本願発明の繰出容器は、上部ラセンタイプ繰出容器の構造を応用したものである。
本願発明の上部ラセンタイプ繰出容器A、回転駆動機構Ｂ，往復駆動機構Ｃ、開閉駆動機構Ｄ、把持体Ｈ、回転体Ｒの構成を示す斜視図である。
本願発明の上部ラセンタイプ繰出容器Ａ、回転駆動機構Ｂ、往復駆動機構Ｃ、開閉駆動機構Ｄ、把持体Ｈ、回転体Ｒは、上部ラセンタイプ繰出容器の形状・デザイン・サイズ・太さや、応用する繰出容器の種類、蓋の硬軟、蓋の種類、用途などにより、これらに合わせて一部修正されることはあるが、基本的な構造は同じである。
本願発明の繰出容器の中皿１９に載置して用いる被繰出物１８は、棒状化粧料、ファンデイション、フエイスブラシ、紅筆など中皿に載置して使用できる化粧料、化粧用具、各種の繰出容器、ステェックタイプの糊、筆記用具、印鑑などの事務用品、繰出容器、その他、本願発明の繰出容器に応用できるものであれば何れでもよい。
【００３１】
〔図４：本願発明の繰出容器の各部品の動きを示す説明図〕
（可撓性の板状の舌部蓋の応用（その２）〕
図４は、本願発明の繰出容器の開閉時の各部品の動きを示す説明図で、順及び逆転方向に回転体５を回転した時の開閉時の蓋８、被繰出物１８（口紅１８’）、蓋繰出距離ｚなど各部品の動きを示したものである。
【００３２】
図４の左図は、蓋８の全閉状態を示す図である。
本願発明の繰出容器１００の回転体５を把持体２に対して、逆回転方向に回転した時、可撓性の板状の舌部蓋８の舌部８１aが上昇し、把持体２の開口部２１を全閉し、本願発明の繰出容器内に口紅１８’を収納している全閉状態を示している。可撓性の板状の舌部蓋が、全開から全閉状態の移動に伴う蓋繰出距離ｚを示している。
【００３３】
図４の中央図は、蓋８の中間状態を示す図である。
本願発明の繰出容器１００の回転体５を把持体２に対して、順回転方向に回転した時に、開口部２１より遠ざかる長手方向に直線状に移動した蓋８の中間状態を示している。可撓性の板状の舌部蓋８は、蓋台座摺動溝２４と蓋案内溝２２により折り曲げられている状態と、全閉から中間状態の移動に伴う蓋8の蓋繰出距離ｚを示している。
【００３４】
図４の右図は、８の全開状態を示す図である。
回転体５を把持体２に対して順回転方向に回転させたときに、連動している逆ラセン筒９が順回転方向に回転し、蓋８は逆ラセン筒９の逆ラセン溝９１に案内され、開口部２１より遠ざかる長手方向に直線状に移動した蓋８が、全開状態を示している。
同時に、蓋８用の逆ラセン溝９１とは逆向きのラセン溝を備えた逆ラセン溝９３に嵌合している中皿突起１９aは、ガイド筒のガイド孔１２aに沿って、中皿１９に載置された口紅１８’が回転することなく繰り上げられている全開状態を示している。
図４は、蓋閉止方向の逆回転方向に回転すると口紅１８‘は収納され、同時に蓋８は上昇し開口部２１を閉じることを示している。
【００３５】
〔逆ラセン溝９１〕
図４と図６に示す逆ラセン溝９１について説明する。
逆ラセン筒９の外側に設けた逆ラセン溝９１は、逆ラセン溝開始点９１ａ、逆ラセン溝中間点９１ｂ、逆ラセン溝終点９１ｃの溝を少なくとも一条形成すると蓋８の開閉速度を変えることが出来る。
蓋８は、蓋を開く際は早く開き、蓋を容器内に収納後は、容器内をゆっくり動くことが望まれる。逆ラセン溝９１の傾斜を変化させ、蓋８の位置により動きを調整することが出来る。
【００３６】
逆ラセン溝開始点９１ａには、例えば、水平部、又は、凹部などを形成し、蓋８を閉じたとき不用意に動くことがないように配慮することも出来る。
本願発明の繰出容器１００に用いる逆ラセン筒９などにより蓋８が不用意に動かない方法は、この例に限定されない。本発明に適した方法であれば何れでも良い。
逆ラセン溝中間点９１ｂ〜逆ラセン溝終点９１ｃ間ではラセン溝９１は、緩やかな角度に設定されており、蓋８は容器内をゆっくり線状に移動する。
【００３７】
〔逆ラセン筒の効果〕
このように急傾斜と緩やかな逆ラセン溝９１を、逆ラセン筒９に形成することによって、蓋８の線状の移動距離が短くなるため  繰出容器の全体の長さを必要により短くできる。
逆ラセン筒９の逆ラセン溝９１は、通常の繰出容器と同じように全て一定の傾斜角度の逆ラセン溝を用いることが出来ることはもちろんである。
蓋の移動を早くするための逆ラセン溝開始点９１ａから逆ラセン溝中間点９１ｂ間のラセン溝の角度は、繰出容器の種類、長さ、太さ、デザイン、形状、また、蓋の移動の速さの必要性、使いやすさなどにより個々の繰出容器毎に決め、設定する。
【００３８】
〔図５：本願発明の繰出容器の把持体Ｈの構成を示す断面図
（図４のハーハ線とニーニ線の断面図）  （可撓性の板状の舌部蓋の応用（その２）〕  
図５は、本願発明の繰出容器の把持体Ｈの構成を示す断面図である。
図５の左図は、図４のハーハ線の断面図で、把持体２、逆ラセン筒９、ガイド筒１２、被繰出物１８、蓋８の構成を示す断面図である。
〔突起２３とガイド筒１２との嵌合によるラセン筒の固定〕
後の図６、７、９に示す如く、ガイド筒１２の上末端の嵌合隙間部１２ｃと嵌合凹部１２ｄは、把持体２の内上部の突起２３と嵌合して、把持体２とガイド筒１２が一体になるように一定の位置に固定され、把持体Ｈを構成する。
後の図９に示す把持体Ｈを把持し、回転体Ｒを回転した時、ガイド筒１２の内に組み込まれている中皿１９が同じ方向に回転しないように、把持体Ｈを構成するガイド筒１２と把持体２が一体になるように固定されている。
【００３９】
図５の右図は、図４のニ−ニ線の断面図で、把持体２、逆ラセン筒９、ガイド筒１２、中皿１９、蓋８により構成される。
後の図１０の如く、逆ラセン筒９の連結部９２は、回転体５の連結部５２と圧接固定し、連結して一体に回転するように嵌合され回転体Ｒを構成している。
把持体２を把持し、回転体５を繰出し（順回転方向）、又は、繰戻す（逆回転方向）回転に伴って逆ラセン筒９は回転体５と同じ方向に回転する。
〔ガイド筒１２と中皿１９と逆ラセン筒９〕
図５の右図の如く、中皿１９の中皿突起１９aは、ガイド筒のガイド孔１２aを貫通して逆ラセン筒９の内側逆ラセン溝９３と嵌合している。
回転体５を回転すると、ガイド筒１２は把持体２の内上部の突起２３によって固定されており、ガイド孔１２aを貫通してガイド筒１２に組み込まれた中皿の中皿突起１９aは、回転体Ｒを構成している「回転体５」と一体となって回転する「逆ラセン筒９の逆ラセン溝９３」に案内され、把持体２に固定されたガイド筒のガイド孔１２aに沿って、回転することなく一定方向の長手方向に移動する。
【００４０】
〔図６：本願発明の繰出容器の回転体への組立部品の符号（断面図、斜視図及び上面図）〕
可撓性の板状の舌部蓋の応用（その４）
図６は、図３〜６，図９〜１２で説明の本願発明の繰出容器１００の回転体５への組立部品の符号である。
中皿１９は、
外周に突起１９a、１９aを突設している。
ガイド筒１２は、
ガイド孔１２aと、
該ガイド筒の上端に把持体２内上部の突起２３と嵌合する嵌合隙間部１２ｃおよび嵌合凹部１２ｄを備えており、
ガイド孔１２aの上端には中皿突起１９aの上部回転止め１２eと、
ガイド孔１２aの下端には中皿突起１２aの下部回転止め１２ｆを備えている。
逆ラセン筒９は、
外側に蓋突起８５と嵌合する逆ラセン溝９１と、
外側下端に回転体５の連結部５２と圧接固定し、一体となって回転する連結部９２と、
内側に外側の逆ラセン筒９１とは逆向きの中皿用逆ラセン溝９３と、
口紅成形などに必要により設ける底穴９４を備えている。
回転体５は、
把持体２の外側回転可能嵌合突起２５と嵌合する外側回転可能嵌合凹部５１と、
逆ラセン筒の連結部９２と圧接固定し、連結する連結部５２と、
圧接固定し連結する逆ラセン筒底を所定の位置に止める逆ラセン筒底止め５３と、
口紅成形など必要により設ける底穴５４と、
把持体２と回転体５とを回転可能に嵌合する外側回転可能嵌合部５a（回転体5側）とを備えている。
【００４１】
〔逆ラセン溝の展開図について〕
図６の上段の左から３番目の図は、逆ラセン筒９の内外に設けた逆ラセン溝９１と逆ラセン溝９３の展開図である。
図６の展開図には、逆ラセン溝９３を一条描いてあるが、中皿の中皿突起１９aは２つである。これら２つの逆ラセン溝９３の展開図は、同じため、図には１つ図示した。
尚、逆ラセン溝９１は、図６に記載の通り一条である。
〔繰出時の回転角度について〕
繰出容器の回転角度は１回転の３６０°に限定されない。本願発明の繰出容器に応用で出来るものであれば、いずれの回転角度でもよい。
図６には、通常の上部ラセンタイプ繰出容器に多い１回転の繰出す３６０°の展開図を描いた。上部ラセンタイプ繰出容器の繰出は、通常、１回転が多いが、形状、容器の長さ、デザインなどにより異なることがある。
【００４２】
〔図７：本願発明の繰出容器の把持体への組立部品の符号（斜視図及び断面図及び斜視図）
（可撓性板状の舌部蓋の応用（その５）〕
図７は、本願発明の繰出容器の把持体への組立部品の符号（可撓性の板状の舌部蓋の応用）を示す図で，図３〜５、図７〜９、図１１〜１２で説明する本願発明の繰出容器の把持体２への組立部品の符号である。
蓋８は、
操出・繰戻操作により把持体２の開口部を開閉する舌部８１aと、
把持体２の蓋案内溝２２と摺動自在に嵌合する舌部の外周８２aと、
可撓性の板状の舌部８１aと蓋台座８４の間に設けた板状の蓋胴部８３と、
板状の舌部８１aを支える蓋台座８４と、
逆ラセン筒の逆ラセン溝９１と嵌合して蓋の開閉機能をはたす蓋突起８５とを備えている。
把持体２は、
可撓性の板状の舌部８１aにより開閉する開口部２１と
蓋８の舌部の外周８２aと摺動自在に嵌合して蓋を開閉する蓋案内溝２２と、
ガイド筒１２の嵌合隙間部１２ｃと嵌合部１２ｄと嵌合する把持体内上部の回転止めの突起２３と  
蓋案内溝２２に続いている蓋台座摺動溝２４と、
回転体５の回転可能嵌合凹部５１と回転可能に嵌合する回転可能嵌合突起２５と、
図10の右端図に示す組立体のガイド筒上端を挿入するガイド筒上端挿入部２６と、
図10の右端図に示す組立体の逆ラセン筒９の回転可能な挿入部の逆ラセン筒上端挿入部２７と、
回転体の外側回転可能嵌合部５a（回転体5側）と嵌合する外側回転可能嵌合部２a（把持体２側）とを設けている。
【００４３】
把持体２は、容器の形状やデザイン、蓋材質の硬軟による構造、蓋の開閉構造などにより異なる成形対応の形状・構造、組立時の生産性の効率化などのため必要により２体になることもある。
把持体２として本願発明に用いる場合には、接着、融着、嵌合などにより一体となって用いられる。この一体化された把持体２の内部構造は、本願発明の操出容器の基本構造と同じである。  
【００４４】
〔図８；本願発明の繰出容器の把持体と回転体の回転可能嵌合を示す断面図
（可撓性板状の舌部蓋の応用（その６）〕
図８は、把持体２と回転体５の回転可能な嵌合を示す図である。          
本願発明の繰出容器１００は、把持体Ｈを構成する「把持体２とガイド筒１２と中皿１９」と、回転体Ｒを構成する「回転体５の連結部５２と中皿１９を摺動可能に収納した逆ラセン筒９の連結部９２を圧接固定し」、これらを回転可能に連結して構成される。
被繰出物１８を本願発明の繰出容器１００から繰出す又は繰戻し、同時に蓋を開閉して用いるときには、把持体Ｈを把持し、回転体Ｒを順回転方向、又は、逆回転方向に回転する。把持体２を片手で把持し、回転体５を回転して繰出す・繰戻して使用する。
使用中に把持体２と回転体５との嵌合が、はずれないことが必要である。
図８に示す如く、把持体２には、外側回転可能嵌合部２a（把持体２側）を設け，更に、回転体５には、外側回転可能嵌合部５a（回転体５側）を設け、これらを嵌合した外側回転可能嵌合部（５ｃ）Ｆ２により回転可能に嵌合する。回転可能嵌合部は、図８の如く、開閉時に安定して回転するために一定の幅が必要である。
回転可能な嵌合は、この例に限定されない。周知の方法で本願発明に応用できるものであれば何れでもよい。
尚、本願発明の繰出容器の把持体と回転体の回転可能な嵌合は、蓋の硬軟（可撓性の板状の舌部蓋と剛性の板状の舌部蓋）とは、直接関係が無い構造である。このため、蓋の硬軟に係らず、同じ回転可能な嵌方法を用いることが出来る。
【００４５】
〔図９:本願発明の繰出容器の把持体Hと回転体Rを示す斜視図〕  
（可撓性の板状の舌部蓋の応用（その７）〕
図９は、本願発明の把持体Ｈと回転体Ｒを示す斜視図である。
〔把持体Hについて〕
図７、９、１０に示す如く、把持体Ｈは、
中皿１９をガイド筒１２の内側に組み込み、
ガイド筒のガイド孔１２aの上端の嵌合隙間部１２cと嵌合凹部１２ｄは、把持体２内上部の突起２３との嵌合により固定し、
把持体２とガイド筒が一体となるように嵌合し、固定され、構成される。
【００４６】
〔回転体Ｒについて〕
図９〜１２に示す如く、回転体Ｒは、
回転体５の連結部５２と、逆ラセン筒の連結部９２が圧接固定され、これらが一体となって回転するように構成される。
回転体５は、本願発明の繰出容器１００を開閉する際に、把持体２を把持し、繰出容器の回転体５を順回転方向、又は、逆回転方向に回転する機能を有するものである。
把持体Hを把持し、回転体Rを順又は逆回転方向に回転すると、逆ラセン筒の外側の逆ラセン溝９１に嵌合した蓋の突起部８５は、逆ラセン溝９１に案内されて開口部２１を開閉し、同時に蓋８とは逆向の逆ラセン溝９３に摺動可能に嵌合した中皿１９に載置した被繰出物１８が、蓋とは逆方向に出没し、本願発明の繰出容器１００は、自動開閉する。
【００４７】
回転体Rを構成する回転体５の構造は、一定の構造や形状に限定されない。
回転体Ｒを構成する回転体５は、繰出容器の種類、デザイン、形状、容器メーカーの設備・知的財産・技術、化粧品メーカ―の生産技術・生産設備などによって多くの種類がある。
回転部１ｂ（１２ｂ）に相当する上部ラセンタイプ繰出容器や下部ラセンタイプ操出容器の回転部１ｂ（1２b）の袴筒、また、繰出式ペンシル容器のホルダーなどは、長い回転部１ｂ（１２ｂ）(回転体５に相当)に直接、繰出容器とは逆向きの逆ラセンを設け繰出容器１００の構造を設計することもできる。
【００４８】
〔本願発明の繰出容器の組立工程１〜３〕
図１０〜１２は、本願発明の繰出容器の各部品の組立工程を示す図である。
組立工程の順序は、これらの図に限定されない。本願発明の繰出容器１００の生産数、口紅などの化粧料メーカーの納品形態への要望、繰出容器メーカーや化粧料メーカーなどの生産設備や作業工程、製品の販売方法など必要により変更できる。
【００４９】
〔図１０；本願発明の繰出容器の組立工程１：回転体への各部品の組立（斜視図）
（可撓性の板状の舌部蓋の応用（その８）〕
図１０は、［組立工程１］を示す図で、回転体５への各部品の組立工程を示す斜視図で、繰出容器は上部ラセンタイプ繰出容器である。
図１０の左側図に示す如く、
１、中皿１９とガイド筒１２の組立
中皿の外周に設けた中皿突起１９aをガイド筒１２のガイド孔１２aを貫通するように摺動自在に組み込む。
２、逆ラセン筒の組立体と回転体との組立
次に、逆ラセン筒の連結部９２と回転体の連結部５２とを圧接固定し、逆ラセン筒９と
回転体５を圧接固定し、連結し、一体化する。 
図１０の中央図に示す如く、
３、「中皿１９とガイド筒１２の組込体」と「逆ラセン筒９と回転体５の組込体」との組立
「中皿１９とガイド筒１２の組立体」を「逆ラセン筒９と回転体５の組立体」に組込む。
同時に、ガイド筒のガイド孔１２aを貫通して中皿の中皿突起１９aを逆ラセン筒内側の逆ラセン溝９３に摺動自在に嵌合する。
図１０の右図に示す如く、
４、回転体５の組立体
回転体５には、回転する繰出機構を構成する中皿１９、ガイド筒１２、逆ラセン筒９が組み込まれ、回転繰出機構を構成した「組立工程１の組立体」を構成する。
〔組立工程１の組立体の逆ラセン筒９上端からガイド筒１２が出る長さ〕
図１０の右図に示す組立工程１の組立体の上端には、逆ラセン筒９上端からガイド筒１２が少し出ている。この出ている長さは、基本的には図１０に示すとおりである。併し、本願発明の操出容器に応用する容器の大きさ、デザイン、繰出容器との併用になどよって、必要により異なることがある。
〔各部品の組立順序や固定方法について〕
各部品の組み込み順序や各部品の圧接固定方法などは、この方法や順序に限定されない。本発明に適したものであれば、何れの方法も応用できる。
〔回転体の形状〕
回転体外側５は、この図に限定されない。
上部ラセンタイプ繰出容器の形状、デザイン、蓋の形状、蓋の硬軟など必要により変更できる。本発明に適したものであれば、いずれの方法も応用できる。
［圧接や連結］
連結部５２及び逆ラセン筒の連結部９２による圧接固定や連結方法は、多くの種類がある。図６や図１０などに示す例に限定されない。  
本願発明に適したものであれば、何れの方法も応用できる。
【００５０】
〔図１１：本願発明の繰出容器の組立工程２；把持体への各部品の組立〕
（断面図と斜視図）（可撓性の板状の舌部蓋の応用（その９）
図１１は、把持体２への各部品の「組立工程２」を示す図（断面図及び斜視図）で,可撓性の板状の舌部蓋の応用例である。
図１１の左図は、把持体２左側の断面図である。
図１１の左から２番目の図は、可撓性の板状の舌部の蓋８の斜視図である。
蓋８は、把持体２左図に示す蓋案内溝２２と該案内溝２２に続く蓋台座摺動溝２４に、蓋８の可撓性の板状の「舌部の外周８２a」と蓋台座の「蓋台座左側８４L」を摺動可能に組込む。
図１１の左から３番目の図は、把持体２右側の断面図である。
可撓性の板状の舌部蓋の「舌部の外周８２a」と「蓋台座右側８４Ｒ」を把持体２右側の蓋案内蓋２２と該蓋案内溝２２に続く蓋台座摺動溝２４にはめ込み、把持体２左側と把持体２右側を合わせ可撓性の板状の舌部蓋を把持体２内に組込後、溶着し、一体化する。
尚、左右の把持体２の一体化の方法は、接着、熔着、嵌合など周知の方法で、本願発明に適したものであれば何れでもよい。
図１１の右端図は、把持体２の内部に可撓性の板状の舌部の蓋を組込んだ図で、「組立工程２」の組立体である。「把持体２左側」と「蓋８」と「把持体２右側」とを組み込み、左右の把持体２を溶着して、把持体２内に「可撓性の板状の舌部蓋８を組込んだ」組立体の斜視図である。
把持体２の外側下部には、回転体５と回転可能な嵌合をするために回転可能嵌合突起２５を設けている。
把持体２は、本願発明の繰出容器１００のデザイン、形状、長手方向の断面の寸法差、成形の難易度、蓋の硬軟度、蓋の形状、生産性、金型作成の難度など、必要により分割されることもあるが、組立時には、接着・熔着・嵌合などにより一体構造になる。
【００５１】
〔図１２；本発明の繰出容器の組立工程３：組立工程１及び組立工程２の組立体の組立
（斜視図）（可撓性の板状の舌部蓋の応用（その１０）〕
図１２は、先に述べたこれらの組立工程１と組立工程２の組立体の嵌合示す組立工程３
の斜視図である。
先の図１０の組立工程１の組立体は、図３に図示す回転体５に回転駆動機構Ｂを持つ
部品が組込まれている。
先の図１１の組立工程２の組立体は、図３に図示す把持体２に開閉駆動機構Ｄを持つ
蓋８が組み込まれている。
先の図１０の組立工程１の組立体の「中皿１９・ガイド筒１２・逆ラセン筒９」が組み込まれている「回転体５」の外側回転可能嵌合部5a(回転体５側)と、
先の図８、１１の右端図の如く、組立工程２の「把持体２」内に蓋８が組み込まれた「把持体２」の外側回転可能嵌合部２a(把持体2側)とを回転可能に嵌合する。
該組込と同時に、把持体２の内上部に設けたガイド筒回転止めの突起２３は、前記ガイド筒１２の末端の嵌合隙間部１２ｃ及び嵌合凹部１２ｄに組み込まれる。
同時に、把持体２の内部に組み込まれた蓋の蓋突起８５は、回転体外側５に組み込まれた逆ラセン筒９のラセン溝９１と摺動自在に嵌合し、本願発明の操出容器を構成する。
これらの組立工程１と組立工程２の組立体を回転可能に嵌合し、組立てることにより
把持体内上部の突起２３と、ガイド筒１２の前記ガイド筒１２aの末端に設けられた嵌合隙間部１２ｃ及び嵌合凹部１２ｄが嵌合固定し、把持体２に組み込まれ、図３に示す往復駆動機構Ｃ，回転駆動機構Ｂ及び開閉駆動機構Ｄを構成する。
〔効果の説明〕
この組立工程３により、上部ラセンタイプ繰出容器の構造を応用した本願発明の繰出容器Ａの構+造を構成し、従来の繰出容器と同じ操出操作により、使用時にいちいち蓋を脱着する必要のない繰出容器の構造を構成する。
〔組立工程１と組立工程２の組立体との組込について〕
ガイド筒１２の上端部は、図１１左図に図示する把持体２の内上端のガイド筒上端挿入
部２６に組み込まれる。
同時に、逆ラセン筒９の上端は、図１１左に図示する把持体２の内上端の逆ラセン筒上端挿入部２７に回転自在に組み込まれる。
これらの嵌合により、把持体２とガイド筒１２は、把持体内上部の突起２３により一体
に固定され、把持体Ｈを構成する。
同時に、図８に図示の如く、把持体２の「外側回転可能嵌合部２a（把持体２側）」と回転体５の「外側回転可能嵌合部５a（回転体５側）が回転可能に嵌合する。
これらの「回転体５への組立部品（組立工程１）」と「把持体２への組立体（組立工程２）」の嵌合により、本願発明の繰出容器１００として機能が構成される。
即ち、図９に示す把持体Hを把持し、回転体Rを回転すると、図４に図示の如く蓋８は
開閉し、同時に，蓋とは逆の方向に被繰出物１８が出没し、本願発明の繰出容器１００は自動開閉する。
この工程で本願発明の繰出容器１００の組立工程は終わる。
通常、この後、被繰出物（１８）を載置する工程が入る。
口紅など棒状化粧料の本願発明の操出容器１００への載置の方法は、棒状化粧料の口紅を成形後、中皿に、挿入して組込む方法と、本願発明の繰出容器の底穴から熔融した口紅などを流し込んで成型する方法などがある。
【００５２】
〔図１３；本願発明の繰出容器の説明；（剛性の板状の舌部蓋の応用（その１））〕
図１３〜１７に本願発明の繰出容器を剛性の板状の舌部蓋に応用した例について説明する。
【００５３】
図１３は、本願発明の繰出容器の基本構造で、剛性の板状の舌部の蓋の応用例である。
先述の図３で述べた可撓性の板状の舌部の蓋と異なるところは、
１）  蓋は、剛性の板状の舌部蓋で、側面に突起部８２bを備えている。
２）  把持体２内上部に、蓋案内溝２８を設けている。
３）  突起部８２bは、蓋案内溝２８に摺動自在に嵌合し、蓋を案内することである。
図１３は、本願発明の繰出容器の基本構造で、上部ラセンタイプ繰出容器A、回転駆動機構Ｂ，往復駆動機構Ｃ、開閉駆動機構Ｄ、把持体Ｈ、回転体Ｒの構成を示す斜視図である。
本願発明の上部ラセンタイプ繰出容器Ａ、回転駆動機構Ｂ、往復駆動機構Ｃ、開閉駆動機構Ｄ、把持体Ｈ、回転体Ｒは、上部ラセンタイプ操出容器の形状・デザイン・サイズ・太さや、応用する繰出容器の種類、蓋の形状、用途などにより、これらに合わせて一部修正されることはあるが、基本的な構造は同じである。
【００５４】
〔図１４：本願発明の繰出容器の各部品の動きを示す説明図
（剛性の板状の舌部蓋の応用（その２）〕
図１４は、本願発明の繰出容器の開閉時の各部品の動きを示す説明図で、順及び逆転方向に回転体５を回転した時の開閉時の蓋８、被繰出物１８（口紅１８’）、蓋繰出距離ｚなど各部品の動きを示したものである。
【００５５】
図１４の左図は、全閉状態を示す図である。
本願発明の繰出容器の回転体５を把持体２に対して、逆回転方向に回転した時、剛性の板状の舌部蓋８の舌部８１ｂが上昇し、把持体２の開口部２１を全閉し、本願発明の繰出容器内に口紅１８’を収納している全閉状態を示している。
剛性の板状の舌部蓋が、蓋全開状態からの移動に伴う蓋繰出距離ｚを示している。
【００５６】
図１４の中央図は、中間状態を示す図である。
本願発明の繰出容器１００の回転体を把持体に対して、順回転方向に回転した時に、長手方向に開口部より遠ざかる方向に直線状に移動した蓋８の中間状態を示している。剛性の板状の舌部蓋８は、蓋案内溝２８により折り曲げられている状態と、移動に伴う蓋8の蓋繰出距離ｚを示している。
【００５７】
図１４の右図は、蓋８の全開状態を示す図である。
回転体５を把持体２に対して順回転方向に回転させたときに、連動している逆ラセン筒９が順回転方向に回転し、蓋８は逆ラセン筒９の逆ラセン溝９１に案内され、開口部２１より遠ざかる長手方向に回転することなく直線状に移動した蓋８が、全開状態を示している。
同時に、蓋８用の逆ラセン溝９１とは逆向きのラセン溝を備えた逆ラセン溝９３に嵌合している中皿突起１９aは、ガイド筒のガイド孔１２aに沿って、中皿１９に載置された口紅１８’が回転することなく繰り上げられている全開状態を示している。
図１４は、蓋閉止方向の逆回転方向に回転すると口紅１８‘は収納され、同時に蓋８は上昇し開口部２１を閉じることを示している。
【００５８】
〔図１５：本願発明の繰出容器の把持体Ｈの構成を示す断面図
（図１４のホーホ線とへーへ線の断面図）剛性の板状の舌部蓋の応用（その３）〕
図１５は、本願発明の繰出容器の把持体Ｈの構成を示す断面図である。
図１５の左図は、「図１４」のホーホ線の断面図で、把持体２、逆ラセン筒９、ガイド筒１２、被操出物１８、蓋８の構成を示す断面図である。
〔突起２３とガイド筒１２との嵌合によるガイド筒１２の把持体２への固定〕
図１５の左図に示す如く、把持体２の内側上部に、ガイド筒回転止めの突起２３を設けている。突起２３は、ガイド筒上端の嵌合隙間部１２ｃ及び嵌合凹部１２ｄと嵌合して、ガイド筒１２を一定の位置に固定している。
図９に示す把持体Ｈを把持し、回転体Ｒを回転した時、ガイド筒１２の内側に組込まれている中皿１９が同じ方向に回転しないように、ガイド筒１２と把持体２の突起２３により一体になるように固定され、把持体Ｈを構成する。
【００５９】
図１５の右図は、図１４のへ−へ線の断面図で、把持体２、逆ラセン筒９、ガイド筒１２、中皿１９、蓋８により構成される。
図１０（組立工程１）に示す如く、逆ラセン筒９の連結部９２は、回転体５の連結部５２と圧接固定し、連結して一体に回転するように固定されており、回転体５を繰出し（順回転方向）、又は、繰戻す（逆回転方向）回転に伴って回転体５と同じ方向に回転する。
〔ガイド筒１２と中皿１９と逆ラセン筒９〕
図１５の右図に示されている如く、ガイド筒9内に摺動自在に収納された中皿の中皿突起１９aは、ガイド筒のガイド孔１２aを貫通して、外側の蓋用ラセン溝９１とは逆向きの内側逆ラセン溝９３と嵌合している。
回転体５を回転すると、ガイド筒１２は把持体２の内上部の突起２３によって把持体２に固定されており、ガイド筒１２に組み込まれた中皿の中皿突起１９aは、逆ラセン筒の逆ラセン溝９３に案内され、把持体２に固定されたガイド筒のガイド孔１２aに沿って蓋８とは逆方向に回転することなく長手方向に移動する。
【００６０】
〔図１６：本願発明の繰出容器の組立工程４；把持体への部品組立と各部品の符号
（断面図及び斜視図）              （剛性の板状の舌部蓋の応用（その４）〕
図１６は、本願発明の繰出容器の組立工程４で、把持体への部品組立と各部品の符号（剛性の板状の舌部蓋の応用）を示す図で，図１３〜１７で説明する本願発明の繰出容器（剛性の板状の舌部蓋の応用）の把持体２への組立部品の符号である。
【００６１】
〔図１６；各部品の構造と符号の説明〕
図１６に示す蓋８は、
操出・繰戻操作により把持体２の開口部を開閉する剛性の板状の舌部８１ｂと、
把持体２の蓋案内溝２８と摺動自在に嵌合する剛性の板状の舌部の側面の突起部８２ｂと、
剛性の板状の舌部８１ｂと蓋台座８４の間に設けた蓋胴部８３と、
剛性の板状の舌部蓋を支える蓋台座８４と、
逆ラセン筒の逆ラセン溝９１と嵌合して蓋の開閉機能をはたす蓋突起８５とを備えている。
把持体２は、
剛性の板状の舌部８１ｂにより開閉する開口部２１と、
把持体内上部のガイド筒の回転止め突起２３と    
蓋案内溝２４に続いている蓋案内溝２８と、
回転体５の回転可能嵌合凹部５１と回転自在に嵌合する回転可能嵌合突起２５と、
ガイド筒上端を挿入するガイド筒上端挿入部２６と、
回転可能な挿入部の逆ラセン筒上端挿入部２７と、
剛性の板状の舌部の側面の突起部８２ｂが摺動自在に挿入される蓋案内溝２８と、
全閉時の剛性の板状の舌部の先端や外周が把持体の頂壁内部に挿入される蓋嵌合凹部２９を備えている。
【００６２】
把持体２は、操出容器の形状やデザイン、蓋材質の硬軟による構造、蓋の開閉構造などにより異なり成形性・組立時の生産性の効率化などのため必要により２体になることもある。
把持体２として本願発明に用いる場合には、接着、融着、嵌合などにより一体となって用いられる。この一体化された把持体２の内部構造は、本願発明の繰出容器の把持体の構造と同じである。  
【００６３】
〔図１６の組立工程４の説明〕
図１６は、組立工程４を示す図で、把持体２と剛性の板状の舌部蓋８の組立工程を示す図である。
図１６の左図は、把持体２左側の断面図である。
図１６の左から２〜３番目の図は、剛性の板状の舌部の蓋８の外側及び内側斜視図である。
蓋８は、図１６の左図に示す把持体２の蓋案内溝２８と、該案内溝２８に続く蓋台座摺動溝２４に、蓋８の剛性の板状の舌部の側面の「突起部８２ｂ」と「蓋台座左側８４L」を摺動自在に組込む。
図１６の左から４番目の図は、把持体２右側の断面図である。
剛性の板状の舌部の側面の「突起８２ｂ」と「蓋台座右側８４Ｒ」を把持体２右側の蓋案内蓋２８と該蓋案内溝２８に続く蓋台座摺動溝２４に摺動自在に組込み、把持体２左側と把持体２右側を合わせ溶着し、一体化する。
尚、左右の把持体２の一体化の方法は、接着、熔着、嵌合など周知の方法で、本願発明に適したものであれば何れでもよい。
図１６の右端図は、把持体２の内部に剛性の板状の舌部の蓋８を組込んだ図で、「組立工程４」の組立体である。「把持体２左側」と「剛性の板状の舌部蓋８」と「把持体２右側」とを組込み、左右の把持体２を溶着して、把持体２内に剛性の板状の舌部蓋８を組込んだ組立体の斜視図である。
把持体２の外側下部には、回転体５と回転可能な嵌合をするために回転可能嵌合突起２５を設けている。
把持体２は、必ずしも２体に分割する必要はない。
本願発明の繰出容器１００のデザイン、形状、長手方向の断面の寸法差、成形の難易度、蓋の硬軟度、蓋の形状、生産性、金型作成の難度など、必要により分割されることもあるが、組立時には、接着・熔着・嵌合などにより一体構造になる。
【００６４】
〔図１７：本願発明の繰出容器の組立工程５:組立工程１及び組立工程４の組立〕
（斜視図）  剛性の板状の舌部蓋の応用（その５））
図１７は、先に述べたこれらの組立工程１と組立工程４の組立体の嵌合示す組立工程５
の斜視図である。
組立工程１の組立体には「中皿１９・ガイド筒１２・逆ラセン筒９」が回転体５に組み込まれている。
組立工程１の組立体は、図１０、図１３に図示の如く回転体５に回転駆動機構Ｂを持つ部品が回転体５に組込まれている。
組立工程４の組立体は、図１６、図１３図に示の如く、把持体２に往復駆動機構Ｃと開閉駆動機構Ｄを持つ部品の剛性の板状の舌部蓋８が組み込まれている。
これらの組立工程１と組立工程４の組立体を嵌合し、組立てることにより、把持体２内上部の突起２３と、ガイド筒１２aの末端に設けられた嵌合隙間部１２ｃ及び嵌合凹部１２ｄが嵌合固定し、把持体２に組み込まれ、図１３に示す回転駆動機構Ｂ、往復駆動機構Ｃを構成する。
同時に、把持体２の内部に組み込まれた蓋の蓋突起８５は、回転体５に組み込まれた逆ラセン筒９の逆ラセン溝９１と摺動自在に嵌合し、開閉駆動機構Dを構成する。
更に同時に、図８に図示の如く、把持体2の「外側回転可能嵌合部（把持体２側）２aの回転可能嵌合突起２５」と回転体5の「外側回転可能嵌合部５a(回転体5側)の回転可能嵌合凹部５１」が回転可能に嵌合する。
これらの組立・嵌合により本願発明の繰出容器の構造を構成する。
この図１７の組立工程５により、上部ラセンタイプ繰出容器の構造を応用した本願発明の繰出容器１００の構造を構成し、従来の繰出容器と同じ繰出操作により、使用時にいちいち蓋を脱着する必要のない自動開閉繰出容器の構造を構成する。
〔組立工程５の組立工程１と組立工程４との組立の効果などについて〕
先に述べた組立工程1（図１０）と組立工程４（図１７）との組立体の組立工程５は、前述の組立工程1（図１０）と組立工程２（図１１）の組立体の組立工程3と同じである。異なるところは、「可撓性の板状の舌部蓋」の構造」が「剛性の板状の舌部蓋」の構造に変わったこと、把持体２の「可撓性の板状の舌部蓋の構造」が「剛性の板状の舌部蓋用把持体の構造」に変わったことである。
組立工程５の内容や組立後の効果などは、先に図１２の組立工程３の項で述べた内容と同じであるので詳細な記述は省略する。
【００６５】
〔剛性の板状の舌部蓋の効果〕
剛性の板状の舌部蓋の効果は、次の通りである。
従来の口紅容器に近い化粧品らしい外観の容器が得られる。  
本願発明の繰出容器のこれまでにない利便性はもちろん、従来の各種の繰出容器の使用性や多様性を活用し、利便性・進歩性・新規性のある機能を持った繰出容器の構造を確立できた。
本願発明の可撓性の板状の蓋は、蓋が柔らかく、従来容器には無い新規性のある外観である。
一方、剛性の板状の蓋の繰出容器は、蓋の開閉が明確なこれまでに無いシャープな感じで、可撓性の板状の舌部蓋の繰出容器と違った化粧容器らしい外観が得られた。
【００６６】
次に、本願発明の繰出容器１００の中皿に不要な飾りなどの部品を除いた詰替用の「下部ラセンタイプ繰出容器」を載置し、２種類の繰出容器を併用した応用例について述べる。
図の説明は、可撓性の板状の舌部蓋の応用例について説明する。
剛性の板状の舌部蓋に応用については、図１３〜１７について述べた結果と同じである。異なるところは、蓋が剛性の板状の舌部蓋であること。これに対応して把持体の構造が剛性の板状の舌部蓋の構造になることである。従って、詳細な図の説明は省略する。
【００６７】
図１８は、「本願発明の繰出容器（上部ラセンタイプ繰出容器構造の応用品）」と「下部ラセンタイプ繰出容器（可撓性の板状の舌部蓋の応用）」の併用の各部品の動きを示す説明図である。
図１８の左図は、「本願の発明の繰出容器（上部ラセンタイプ繰出容器構造の応用品）」の嵌合中皿３に、不要な飾りなどの部品を除いた「口紅を収納した下部ラセンタイプ繰出容器」を嵌合中皿３に載置した「全閉」状態の図である。
図１８の中央図は、本願発明の繰出容器の把持体２を把持し、回転体５を順回転方向に回転し、嵌合中皿３に載置の下部ラセンタイプ繰出容器を操出した「全開の容器繰出状態」を示している図である。
嵌合中皿３に載置の繰出された下部ラセンタイプ繰出容器の移動距離ｗを示している。
本願発明の繰出容器から繰出された下部ラセンタイプ繰出容器の繰出距離ｙを示している。
図１８の右図は、全開状態の本願発明の繰出容器１００から口紅繰出状態を示す図である。
図１８の中央図に示す如く、繰出された「口紅を収納した上部ラセンタイプ繰出容器」の中筒４１を把持し、回転体５を回転すると、「回転体５」と「下部ラセンタイプ繰出容器の嵌合中皿」は嵌合中皿３により連結しており、下部ラセンタイプ繰出容器の繰出機構が機能して「下部ラセンタイプ繰出容器」に収納した口紅を必要な長さを繰出した「口紅繰出状態」を示す図である。
図１８の右図には、繰出された口紅の繰出距離ｘを示している。
口紅は、従来の繰出容器と同様に、下部ラセンタイプ繰出容器から必要な長さが繰出された状態で使用できる。
【００６８】
〔図１９：本願発明の繰出容器と下部ラセンタイプ繰出容器の併用（その２）
把持体Ｈの構成を示す断面図（可撓性の板状の舌部蓋の応用）〕
図１９は、「本願発明の繰出容器」と「下部ラセンタイプ繰出容器」の併用の図で、把持体Ｈの構成を示す断面図（図１８のチーチ線とリーり線の断面図）（可撓性の板状の舌部蓋の応用）である。
図１９の左図は、「図１８」のチーチ線の断面図で、把持体２、逆ラセン筒９、ガイド筒１２、被繰出物の口紅１８‘、蓋８、下部ラセンタイプ繰出容器の中筒４１の構成を示す断面図である。
〔突起２３とガイド筒１２との嵌合によるラセン筒の固定〕
把持体Ｈは、図７に示す把持体２の内上部に、ガイド筒１２の回転止め突起２３を設け、該突起２３は、ガイド筒１２末端の嵌合隙間部１２ｃ及び嵌合凹部１２ｄと嵌合して、ガイド筒１２を一定の位置に固定している。
回転体Ｒは、図６（各部品の符号図）と図９（把持体Ｈと回転体Ｒ）などに示す如く、回転体５の連結部５２と、逆ラセン筒の連結部９２が圧接し、連結され、一体となって回転するように固定して構成される。
先述の図８〜１２などに図示の如く、把持体Hと回転体Rを回転可能に嵌合し、本願発明の操出容器の構造を構成する。
把持体Ｈを把持し、回転体Ｒを回転した時、ガイド筒１２の内側に組込まれている中皿１９が同じ方向に回転しないように、把持体Ｈを構成するガイド筒１２の末端の嵌合隙間部１２ｃと嵌合凹部１２ｄが把持体２内上部の突起２３が一体に嵌合固定されている。
【００６９】
図１９の右図は、図１８のリーリ線の断面図で、把持体２、逆ラセン筒９、ガイド筒１２、中皿１９、蓋８、飾りなど不要な部品を取り除いた詰替え用の下部ラセンタイプ繰出容器の回転部４３により構成されている。
図９、２１に示す如く、逆ラセン筒９の連結部９２は、回転体５の連結部５２と圧接固定し、連結して一体に回転するように嵌合されて回転体Ｒを構成している。把持体２を把持し、回転体５を繰出し（順回転方向）、又は、繰戻す（逆回転方向）回転に伴って逆ラセン筒９と回転体５は、同じ方向に回転する。
〔ガイド筒１２と中皿１９と逆ラセン筒９〕
図１９の右図などに図示されている如く、中皿１９の中皿突起１９aは、ガイド筒１２のガイド孔１２aを貫通して、外側の蓋用ラセン溝９１とは逆向きの逆ラセン溝９３と嵌合している。
把持体２を把持し、回転体５を回転すると、ガイド筒１２は、把持体２の内上部の突起２３によって固定されており、ガイド筒１２に組み込まれた中皿の中皿突起１９aは、固定されたガイド筒１２のガイド孔１２aに沿って、回転することなく蓋８とは逆方向の長手方向に移動する。
【００７０】
〔図２０：本願発明の繰出容器と下部ラセンタイプ繰出容器の併用(その３）
各部品の符号（斜視図,断面図及び上面図）（可撓性の板状の舌部蓋の応用）〕
図２０は、図１８〜２２で説明した本願発明の繰出容器と上部ラセンタイプ繰出容器
の併用の各部品の符号（斜視図、断面図及び上面図）である。
図２０は、先の図６に図示した回転体への組立部品と殆ど同じである。
図６と図２０の部品が異なるところは、嵌合中皿３と下部ラセンタイプ繰出容器４であ
る。
図２０の嵌合中皿３は、
ガイド筒のガイド孔１２aを貫通して逆ラセン筒の逆ラセン溝９３と摺動自在に嵌合する突起３１と下部ラセンタイプ繰出容器などの連結部４２と圧接固定し、連結する部３２と、下部ラセンタイプ繰出容器などの挿入時の底止め３３を必要により設ける。
更に、口紅など棒状化粧料などの流し込み成形のために、必要により底穴３４を設ける。
下部ラセンタイプ繰出容器４は、不要な飾りなどの部品を取り除いた詰替容器を用いる。
棒状化粧料など被繰出物を収納する中筒４１を備えており、嵌合中皿３の突起３２と圧接固定し、連結する連結部４２を設けており、中筒４１を把持し中味を繰出すための回転部４３設けており、棒状化粧料など被繰出物を載置する中皿４４を設けている。
下部ラセンタイプ繰出容器は、この例に限定されない。本願発明の繰出容器に応用できるものであれば、いずれの繰出容器でもよい。
【００７１】
〔図２１；本願発明の繰出容器と下部ラセンタイプ繰出容器の併用（その４）（組立工程６）、回転体への各部品の組立（斜視図）（可撓性の板状の舌部蓋の応用）〕
図２１の組立工程６は、先に述べた図１０と殆ど同じ部品である。異なるところは、嵌合中皿３と該嵌合中皿に嵌合する不要な飾りや部品を取り除いた詰替え用下部ラセンタイプ繰出容器である。
嵌合中皿３の内部には連結３２を設け、下部ラセンタイプ繰出容器の連結部４２と圧接し、連結する。各種の繰出容器を用いる場合も同様に連結部４２を設け、中皿の連結部３２と圧接し、連結する。連結の方法はこの例に限定されない。本願発明に応用できるものであれば、何れも用いることが出来る。本願発明の繰出容器の嵌合中皿に、各種の繰出容器を挿入・嵌合するために、必要により、治具を用いることもできる。
【００７２】
〔図２２本願発明の〔組立工程７〕；本願発明の繰出容器と下部ラセンタイプ繰出容器の
併用(その５）組立工程２及び組立工程６の組立体の組立(斜視図）
（可撓性の板状の舌部蓋の応用）〕
図２２は、「図１１の把持体２への各部品の組立工程２の組立体」と「図２１の回転体５への組立工程６の組立体」との組立工程７である。
図示した嵌合中皿に嵌合用の繰出容器は、不要な飾りや部品を取り除いた詰替え用の下部ラセンタイプ繰出容器を用いている。
組込はこの方法に限定されない。本願発明の繰出容器１００を全開の状態に繰出し後、開口部２１から繰出容器を直接、嵌合中皿３に装着し、連結する事もできる。
装着する繰出容器には、必要な場合、嵌合中皿と連結しやすくするために、連結部を設け、ローレットなど設ける、連結用の治具を用いるなどの方法がある。
被繰出物の嵌合中皿への連結方法は、これらの方法に限定されない。本願発明の繰出容器に応用できる方法であればいずれでもよい。
本願発明の繰出容器１００の中皿に、口紅など棒状化粧料入りの下部ラセンタイプ繰出容器、又は、上部ラセンタイプ繰出容器など各種の繰出容器を装着し、使用し、使用済後、装着した被繰出物を嵌合中皿から取り外し、新たに詰替用の繰出容器を購入して、本願発明の繰出容器１００の中皿に装着して繰返し使用することもできる。
【００７３】
〔図１８〜２２の本願発明の繰出容器と下部ラセンタイプ繰出容器の併用の効果〕
図１８〜２２で本願発明の繰出容器と下部ラセンタイプ繰出容器の併用（可撓性の板状の舌部蓋）について述べた。
その効果は次の通りである。
本願発明の繰出容器１００（使用時に蓋脱着を必要としない便利な繰出容器）の中皿に下部ラセンタイプ繰出容器など各種の繰出容器などを載置し、使用することが出来る。
下部ラセンタイプ繰出容器を使用の口紅など中味によっては、柔らかく2〜3ミリ繰出して使用することが必要な製品がある。また、硬い口紅など棒状化粧料でも、直径が細い場合、口紅などを中味が折れ曲がらない程度に、少し繰出して使用することが必要な製品がある。このような製品に応用して、従来の下部ラセンタイプ繰出容器と同じ様に使用できる。
先願の自動開閉できる先願の繰出容器開閉装置は、下部ラセンタイプ繰出容器、繰出式ペンシル容器、ネジ棒タイプ繰出容器にも応用できるが、口紅など棒状化粧料が柔らかい、折れやすい棒状化粧料製品には応用が難しい。
下部ラセンタイプ繰出容器、ねじ棒式タイプ繰出容器、繰出式ペンシル容器は、このような柔らかい、折れやすい棒状化粧料に、その特徴を生かすために用いられているものがある。
自動開閉できる先願の繰出容器開閉装置は、柔らかい、折れやすい口紅など棒状化粧料に応用する場合は、繰出す長さが短いため、繰出容器開閉装置の開口部に、唇や眉など塗布部などをかなり近づけて使う必要があり使い難い、又は、使用できないためである。
本願発明の繰出容器によって、現在、棒状化粧料に用いられている各種の繰出容器（上部ラセンタイプ繰出容器、下部ラセンタイプ繰出容器、ねじ棒タイプ繰出容器、繰出式ペンシル容器など）を全ての製品に本願発明の繰出容器（上部ラセンタイプ繰出容器）を応用した自動開閉の繰出容器ができる。
上部ラセンタイプ繰出容器は、その構造から従来の繰出容器に収納した口紅などを全て繰出して使うこと出来る特性を活かすことが出来る。
このように先願の繰出容器開閉装置では、一部の棒状化粧料への応用が難しい。又は、応用出来なかった。
蓋の脱着を必要としない本願発明の繰出容器への応用範囲が、各種の繰出容器に広く応用できるようになった。  
本願発明の繰出容器の嵌合中皿に「口紅など棒状化粧料を入り繰出容器を直接載置」し、使用後は、口紅載置済の詰替容器を詰替えて繰返し使用し、「資源を有効利用（環境対応）」することもできる。
【００７４】
〔図２３〜２４：本願と先願（特許第５２１１２８６）との比較対照〕〔効果の説明〕
本願発明と先願との比較対象について図２３〜２４で説明する。
【００７５】
〔図２３；先願（特許第５２１１２８６号）と本願の部品の比較対照（その１）
把持体と回転体への組立部品数の低減〕
図２３で、本願発明の効果の省部品数と組立工程数などの削減の実現について述べる。
図２３は、先願（特許第５２１１２８６号）と本願の部品を比較対照した「部品数の削減効果」の説明図である。先願に比べて本願の部品数が削減されていることを図示している。
〔本願の効果１；部品数の低減と組立工程・生産性の効率化の実現〕
１）先願の中筒１３と逆ラセン筒の一体化
図２３の上段の図には、先願の繰出容器開閉装置に応用した上部ラセンタイプ繰出容器を分解し、中皿（１９）、ガイド筒（１２）、中筒（１３）に分解して図示している。
図２３の上段の左からの３つの図に示す先願の繰出容器開閉装置の部品の中の「中筒１３」と「逆ラセン筒９」の二つの部品は、一体化されて用いられていることを図１４の下図に矢印で示している。
２）先願の内筒２ｃ（2部品）の不用化
図２３の上図右に示す先願の内筒２ｃは、分割され2体となっている。この内筒２ｃの内側には、回止部材２３を設け、2体になって把持体2の内側に挿入されている。
本願では、ガイド筒１２の上端の嵌合隙間１２ｃと嵌合凹部１２ｄを把持体２の内上部の突起２３により固定するため、先願の回止部材２３が必要ないので内筒2ｃは、不要である。
尚、図２３の下図の本願の欄に図示の把持体２は、一体構造になっている。把持体２は、本願の図１１で説明した如く、二つの部品を貼り付け又は、嵌合することによって一体化して用いるため、一体で図示した。
これらの部品数の低減により組立工程・生産の効率化が実現した。
〔本願の効果２：部品構造の単純化、組立工程・生産性の効率化〕
３）部品構造の単純化、組立工程・生産性の効率化
〔先願のガイド筒の回転部１２ｂの削除〕
図２３の上段の左から２番目のガイド筒の回転部１２bは、削除して、部品を単純化して、矢印で下段に示すごとく、回転部１２bのないガイド筒に単純化している。
図２３の下段は、本願を構成する部品を示す斜視図である。上図の先願の部品数より少なくなっていることを図示している。
把持体２は、デザインにより四角、多角形、楕円形、馬蹄形、円形など多様な形状になる。また、蓋の硬軟、蓋デザイン、気密性の要求度などによっても種々の形状になる。また、把持体は、蓋を収納するために縦横の寸法に、少し差がある。このため、これらの成形性や繰出容器開閉装置の組立作業などの効率化のため一体又は2体構造になる。基本的には一体構造で繰出容器に用いるため、一体構造で図示した。
【００７６】
［図２４：先願（特許第５２１１２８６号）と本願の比較対照（その２）
回転体の回転角度と砲弾形口紅側面形状の変化の差異の説明図〕
〔本願の効果3：中皿が回転することなく「一定方向に移動」する。
・口紅など被繰出物を一定方向に繰出すことが出来る。
・被繰出物が一定方向に繰出すことが好ましい製品に応用できる。例えば、使用の多い上部ラセンタイプ繰出容器、下部ラセンタイプ繰出容器へ応用ができる。
・蓋と被繰出物の位置と形状を配慮した製品を傷つけない容器設計が容易になった。
などの効果がある。
上部ラセンタイプ繰出容器を用いる砲弾型口紅容器の場合は、口紅が一定方向に繰出されるため、開閉時に複雑に繰出容器の長手方向の上下・斜め・横方向に移動する蓋と、回転しながら長手方向の上・下方向に移動する口紅との距離（空間）の設計が、容易になった 。などの効果がある。
下部ラセンタイプ繰出容器も使用時の形状から一定方向に繰出し使用することが好ましい ため、使い易くなった。
【００７７】
［図２４：先願（特許第５２１１２８６号）と本願の比較対照（その２）
〔回転体の回転角度の砲弾形口紅側面形状の変化の差異の説明図〕
図２４は、先願と本願の比較対照図で、[回転体の回転角度と砲弾型口紅側面形状の変化 の差異の説明図]である。
図２４の左図は、「回転体の回転角度と砲弾型口紅の位置と側面の形状の変化」を示す図である。
使用時の操出・繰戻時は、回転体５の回転によって中皿１９が回転する。
回転体５の回転角度により中皿１９に載置された砲弾型口紅（被操出物）は、回転するため、砲弾型口紅の側面形状は、回転に伴って複雑に変化する。
同時に蓋８も位置により、繰出容器の長手方向の上・下・斜め・横方向に移動する。
この様に、蓋の位置と角度、口紅側面形状の変化や位置が複雑に変化する。このために被繰出物１８の移動に必要な繰出容器１００内の「蓋と口紅（被繰出物）に必要な空間」の 設計・計算が複雑で効果的な設計が難しかった。
【００７８】
図２４の右図は、「本願の繰出・繰戻時の回転体の回転角度と砲弾型口紅の位置と側面 の形状の変化」を示す図である。
本願発明は、上部ラセンタイプ繰出容器は中皿が回転することなく繰出・繰戻されるため 、図示の如く、回転することなく口紅など被繰出物は、一定方向に向いて繰出すことが出来る。
〔効果〕
・口紅など被繰出物を一定方向に繰出すことが出来る。
・使用時に、一定方向に繰出すことが好ましい製品へ応用できる。
・砲弾型口紅や下部ラセンタイプ繰出容器など使用時に、一定方向に操出ことが好まし い製品への応用できる。
・本発明は、棒状化粧料や事務用品など広い分野の製品に応用できる。
・蓋と被操出物の位置を配慮した製品を傷つけない容器設計が容易になった。
などの効果がある。 
このため、本願発明により上部ラセンタイプ繰出容器１００の用途がより広くなった。   
【００７９】
〔先願（特許第５２１１２８６号）と本願の比較対照（その３）〕
〔本願発明の繰出容器と下部ラセンタイプ繰出容器との併用による効果〕
この効果は、先の図１８〜２２で説明した通りである。
本願発明の繰出容器と従来容器の併用により、用途が広くなった。
先願では、被繰出物の口紅など硬度が低く柔らかい、又は、直径が細く折れやすい製品などに応用が制約されるものがあった。このような場合、本願発明の繰出容器と従来の繰出容器を併用することによって、従来容器の特徴を生かした繰出容器が実現した。
本願発明の繰出容器１００を用いることにより、制約されることなく、必要により従来の繰出容器にも応用でき、蓋の脱着が不要で、便利で使い易いという効果を実現できた。
【００８０】
〔本願発明の効果のまとめ〕
本願発明は、先願の課題を解消するために工夫することにより次の効果を得た。
効果をまとめて述べると次の通りである。
１）省部品数と組立工程数などの削減の実現
部品数の削減と組立工程の単純化が実現した。
上部ラセンタイプ繰出容器の「中筒１３のラセン」と「逆ラセン筒」を一体化した。また、先願の把持体２の回止部材２３が不要になったため、先願の内筒２ｃが不要になった。これらの部品数減により、組立工程数減、金型数削減、生産性の向上などが実現し、コスト低減効果が実現した。
２）被繰出物を一定の方向で繰出すことができる。
この工夫により、繰出・繰戻時に中皿の回転が無く、一定方向を向いたまま被操出物を繰出及び繰戻すことが出来るようになった。この結果、繰出す・繰戻す操作時に一定の方向性のあることが好ましい製品、例えば、砲弾型口紅や下部ラセンタイプ操出容器などに応用できるようになった。
また、図２４に図示の如く、先願の上部ラセンタイプ繰出容器の欠点であった蓋開閉時に「複雑な形状に回転しながら上下方向に移動する被繰出物」と「位置により上下方向・斜め・水平方向に移動する蓋」との距離の計算が容易になり、容器の設計がしやすくなった。
３）本願発明の繰出容器と従来容器の併用により、用途が広くなった。
先願では、被操出物の口紅など硬度が低く柔らかい、又は、直径が細く折れやすい製品などに応用が制約されるものがあった。
このような場合、本願発明の繰出容器と従来の繰出容器を併用することによって、制約されることなく、必要により従来の繰出容器にも応用でき、必要により蓋の脱着が不要で、便利で使い易いという従来容器の特徴を生かすことが出来る効果を実現できたということである。
４）本願発明の繰出容器は、詰替用繰出容器を繰り返し使用が可能である。（環境対応）
５）棒状化粧料はもちろん、各種の繰出容器、化粧用具、印鑑、事務用品など被繰出物を中皿に装着できる。（用途が広くなった）
6）把持体内に蓋を組込む構造にし、把持体と蓋の舌部との摺動自在な組込を確実にしたため、蓋開閉操作が安定した。（品質向上）
７）蓋は、柔らかい、「可撓性の板状の舌部蓋」や硬い「剛性の板状の舌部蓋」にも応用できるため、デザイン、使用性など柔軟に対応できる。（デザイン・用途などへの対応）
【符号の説明】
【００８１】
Ａ    繰出容器
Ａ’  繰出式口紅
Ｂ    回転駆動機構
Ｃ    往復駆動機構
Ｄ    開閉駆動機構
Ｈ    把持体
Ｒ    回転体
Ｆ１（１３ｃ）  内側回転可能嵌合部
Ｆ２（５ｃ）    外側回転可能嵌合部
v     嵌合中皿の移動距離
ｗ    嵌合中皿に載置の繰出容器の移動距離
ｘ    口紅の繰出距離
ｙ    繰出容器の繰出距離
ｚ    蓋繰出距離
１００    本願発明の繰出容器（上部ラセンタイプ繰出容器応用の繰出容器）  
１    繰出容器  
１ｂ（1２ｂ）  回転部
（上部ラセンタイプ繰出容器、及び、下部ラセンタイプ繰出容器
における袴筒、並びに、ねじ棒タイプ繰出容器における筒状ハ
ンドル、繰出式ペンシル容器におけるホルダーに相当する）      
１２    ガイド筒        
１２ａ  ガイド孔
１２ｂ  回転部
１２ｃ  嵌合隙間部  
(ガイド孔１２aの上端の隙間、把持体２内上部の突起２３との嵌合部)
１２ｄ  嵌合凹部    
（ガイド筒１２の上端の嵌合凹部、上端の隙間は繋がっている、
把持体２内上部の突起２３との嵌合部)
１２e   上部回転止め（中皿突起１９aの上部回転止め）
１２ｆ  下部回転止め（中皿突起１９aの下部回転止め）
１８    被繰出物
１８’  口紅
１９    中皿            
１９ａ  中皿突起          
２      把持体
５ａ    外側回転可能嵌合部（回転体５側）
５ｃ（Ｆ２）  外側回転可能嵌合部
２１      開口部            
２２      蓋案内溝
２３      突起（把持体内上部のガイド筒回転止め）    
２４      蓋台座摺動溝（蓋案内溝２２に続いている）
２５      回転可能嵌合突起（回転体５の回転可能嵌合凹部５１との嵌合突起）
２６      ガイド筒上端挿入部
２７      逆ラセン筒上端挿入部(回転可能な挿入部)  
２８      蓋案内溝(剛性の板状の舌部の側面の突起８２ｂが摺動自在に挿入される
蓋案内溝)
２９      蓋嵌合凹部（全閉時の剛性の板状の舌部の先端や外周が把持体２の頂壁内面部に挿入される蓋嵌合凹部）
３      嵌合中皿
３１      突起
３２      連結部（下部ラセンタイプ繰出容器などの連結部と圧接固定し、連結する）
３３      底止め（下部ラセンタイプ繰出容器などの挿入時の底止め）
３４      底穴
４      下部ラセンタイプ繰出容器
（下部ラセンタイプ繰出容器の詰替容器で、不要な飾りや部品を除いたもの）
４１      中筒（通常、アルミ部品）
４２      連結部（嵌合中皿３の連結部３２と圧接固定し、連結する。）
４３      回転部（通常、プラスチック製部品）
４４      中皿
５     回転体
５１     回転可能嵌合凹部
（把持体２の回転可能嵌合突起２５との嵌合凹部）
５２     連結部（逆ラセン筒の連結部９２と圧接固定し、連結する）
５３     逆ラセン筒底止め
５４     底穴（口紅成形など必要により設ける）
５ａ   外側回転可能嵌合部（回転体５側）
２ａ   外側回転可能嵌合部（把持体２側）
５ｃ（Ｆ２）  外側回転可能嵌合部
８      蓋    
８１      舌部
８１a     可撓性の板状の舌部
８１b     剛性の板状の舌部
８２a     可撓性の板状の舌部の外周（蓋案内溝２２との摺動可能挿入部）
８２b     突起部（剛性の板状の舌部の側面の突起部で、蓋案内溝２８に摺動可能に挿入する）
８３      蓋胴部
８４      蓋台座
８４Ｌ    蓋台座左側
８４Ｒ    蓋台座右側  
８５      蓋突起（逆ラセン筒の蓋案内用の逆ラセン溝９１との嵌合突起）
９      逆ラセン筒（内側に中皿用と外側に蓋用の逆向のラセンを設けた筒）
９１      逆ラセン溝  
（逆ラセン筒の外側の蓋用のラセン溝で、蓋突起８５と嵌合する。内側の逆ラセン溝９３とは逆向きのラセン溝）
９１ａ    逆ラセン溝始点
９１ｂ    逆ラセン溝中間点
９１ｃ    逆ラセン溝終点
９２      連結部（回転体５のローレットを設けた連結部５２と圧接固定し、連結する連結部）                 
９３      逆ラセン溝
（逆ラセン筒の内側の中皿用の溝で、中皿突起１９aと嵌合する。外側の
逆ラセン溝９１とは逆向きのラセン溝）
９４      底穴（口紅成形など必要により設ける）
【要約】従来の繰出容器開閉装置の課題として、部品の単純化、部品数の削減、組立工数の減少などによる生産性と品質向上及び製品への応用・用途などの制約があるものがあった。これらの課題の解消が重要であった。
【解決手段】部品構造の単純構造化、部品数の低減、これに伴う組立工程数の減少により生産性・品質の向上及び繰出容器の併用などによって製品への応用が制約されることの無い、使いやすい、安全な繰出容器を実現した。
【効果】従来の課題が解決し、種々の繰出容器、棒状化粧品、化粧用具、事務用品などに広く応用できるなどの効果が有る。
【選択図】図３【図２】
0005843410.tif 000002
【図４】
0005843410.tif 000003
【図１】
0005843410.tif 000004
【図３】
0005843410.tif 000005
【図５】
0005843410.tif 000006
【図６】
0005843410.tif 000007
【図７】
0005843410.tif 000008
【図８】
0005843410.tif 000009
【図９】
0005843410.tif 000010
【図１０】
0005843410.tif 000011
【図１１】
0005843410.tif 000012
【図１２】
0005843410.tif 000013
【図１３】
0005843410.tif 000014
【図１４】
0005843410.tif 000015
【図１５】
0005843410.tif 000016
【図１６】
0005843410.tif 000017
【図１７】
0005843410.tif 000018
【図１８】
0005843410.tif 000019
【図１９】
0005843410.tif 000020
【図２０】
0005843410.tif 000021
【図２１】
0005843410.tif 000022
【図２２】
0005843410.tif 000023
【図２３】
0005843410.tif 000024
【図２４】
0005843410.tif 000025